(57)【要約】コネクタハウジング（１）に光ケーブル（４）のファイバ（３）を固定する方法において、前記コネクタハウジング（１）の側壁（１ｂ、１ｃ）と、該側壁の間に立設された壁とに囲まれて形成される凹部（１ｄ）に前記ファイバ（３）を貫通させて挿通させ、前記両側の壁のうち片側の壁（１ｃ）が可撓性を有して形成されていて、前記片側の壁（１ｃ）と他側の壁（１ｂ）との間隙をファイバ挟装手段（５）で狭めて当該凹部（１ｄ）に挿通されたファイバ（３）を固定することによって、固定強度を大きくし、接着剤を使用しないで、確実に固定することができる。【特許請求の範囲】
【請求項１】
ハウジングに光ケーブルのファイバを固定する方法において、
前記ハウジングの側壁と、該側壁の間に立設された壁とに囲まれて形成される凹部に前記ファイバを貫通させて挿通させ、
前記両側の壁のうち片側の壁が可撓性を有して形成されていて、
前記片側の壁と他側の壁との間隙をファイバ挟装手段で狭めて当該凹部に挿通されたファイバを固定すること、
を特徴とする光ケーブルのファイバ固定方法。
【請求項２】
凹部を形成する両側の壁と該凹部に挿通されるファイバとの熱膨張率が同一、若しくは、ほぼ同一であることを特徴とする請求項１に記載の光ケーブルのファイバ固定方法。
【請求項３】
本体部から突出しその途中に段部が設けられた突起片を有するストッパーがファイバ挟装手段として設けられ、
前記ストッパーにより前記突起片を凹部における片側の壁の後ろ側に挿入して、
当該突起片の段部によって前記片側の壁を他側の壁方向に押圧して移動させること、
を特徴とする請求項１に記載の光ケーブルのファイバ固定方法。
【請求項４】
ストッパーは、仮止め用の係止部によってハウジングに仮止めされることを特徴とする請求項３に記載の光ケーブルのファイバ固定方法。
【請求項５】
ファイバ挟装手段は、バネによる弾性手段であることを特徴とする請求項１乃至２に記載の光ケーブルのファイバ固定方法。
【発明の詳細な説明】
【技術分野】
【０００１】
本発明は、主に、光ケーブルのファイバ固定方法に関するものである。
【背景技術】
【０００２】
従来、例えば、実開平０６−６０８０４や実開平０３−７７９０４に開示されているように、光コネクタとしてのプラグに、光ケーブルを接続する場合、光ケーブルの終端部においてファイバをどのようにコネクタ本体に固定するかについては、例えば、金属製クランプ部材でかしめて固定するものや、Ｖ字型の溝にファイバをおいてそれを蓋部材で上から押さえつけて固定するもの、又は、フェルールに接着剤で固定するもの、ハウジングにファイバを貫通させてそれを金属製クランプ部材の脚部で挟装させてファイバ被覆部の一部に食い込むようにして固定する等の各方法が知られている。【０００３】
しかし、このような従来のファイバ固定方法では、光コネクタの組立作業現場で接着剤の使用となるので、作業能率が低下し好ましいものではない。また、ファイバの被覆部にクランプ部材を食い込ませるのは、亀裂が入り繰り返し固定するには不向きな方法である。
【発明の開示】
【発明が解決しようとする課題】
【０００４】
このように、光コネクタにおけるファイバの固定において、固定強度を大きくし、接着剤を使用しないで、確実に固定することが課題である。
【課題を解決するための手段】
【０００５】
本発明に係る光ケーブルのファイバ固定方法の要旨は、ハウジングに光ケーブルのファイバを固定する方法において、前記ハウジングの側壁と、該側壁の間に立設された壁とに囲まれて形成される凹部に前記ファイバを貫通させて挿通させ、前記両側の壁のうち片側の壁が可撓性を有して形成されていて、前記片側の壁と他側の壁との間隙をファイバ挟装手段で狭めて当該凹部に挿通されたファイバを固定することである。【０００６】
前記凹部を形成する両側の壁と該凹部に挿通されるファイバとの熱膨張率が同一、若しくは、ほぼ同一であること、
前記本体部から突出しその途中に段部が設けられた突起片を有するストッパーがファイバ挟装手段として設けられ、前記ストッパーにより、前記突起片を凹部における片側の壁の後ろ側に挿入して、当該突起片の段部によって前記片側の壁を他側の壁方向に押圧して移動させること、
前記ストッパーは、仮止め用の係止部によってハウジングに仮止めされること、
前記ファイバ挟装手段は、バネによる弾性手段であること、
を含むものである。
【発明の効果】
【０００７】
本発明の光ケーブルのファイバ固定方法によれば、ファイバの固定強度が強くなる。ファイバ固定において接着剤を現場で使用しないので、組立作業の能率が向上するとともに、安価に製造することができる。
また、ストッパーをハウジングに仮止めすることができるので、該ストッパーを仮止めした状態で、例えば光コネクタとして納品することができ、部品管理も容易となる。更には、自動組立等に対応しやすいという利点がある。
更に、ファイバと該ファイバを挟装する壁が、同じ、若しくは、ほぼ同じ熱膨張率にすることで、温度変化があっても、挟装されているファイバの損失が増大しない。
ファイバ挟装手段を、板バネやコイルバネ、トーションバネ等のバネによる弾性手段とすれば、作業性も向上し、外しやすい。
【図面の簡単な説明】
【０００８】
【図１】本発明に係るファイバ固定方法における光コネクタの、コネクタハウジング１の一部を断面にして示す平面図（Ａ）、同正面図（Ｂ）、同側面図（Ｃ）である。
【図２】同光コネクタの他側の壁１ｂに設けられる溝１ｇの各実施例を示す説明図（Ａ）、（Ｂ）、（Ｃ）である。
【図３】本発明のファイバ固定方法における光コネクタの、ストッパー２の一部を断面にして示す平面図（Ａ）、同正面図（Ｂ）、同側面図（Ｃ）である。
【図４】本発明のファイバ固定方法を示す説明図（Ａ）、（Ｂ）である。
【図５】本発明のファイバ固定方法によってファイバが固定された状態の光コネクタの、側面図（Ａ）、正面図（Ｂ）である。
【図６】本発明に係るファイバ固定方法の他の実施例を示す平面図（Ａ）、（Ｂ）である。
【発明を実施するための最良の形態】
【０００９】
本発明に係るファイバ固定方法は、コネクタやカップリング等の種々のものに適用できるが、例えば、光コネクタの場合で説明すると、図１に示すように、光コネクタにおける合成樹脂製のコネクタハウジング１を設ける。このハウジング１の底部１ａ側から立設された両側の壁１ｂ、１ｃに囲まれた凹部１ｄに前記ファイバ３（図４参照）を貫通させて挿通させる様にする。【００１０】
前記両側の壁のうち片側の壁１ｃは、直接に前記底部１ａから立設されているわけではなく、中央島部１ｅの前壁面から前方に突出させて可撓性を有して形成された突起片１ｆの外側の壁である。よって、コネクタハウジング１と別部材でこの壁１ｃを形成する場合には、挟装するファイバ３に悪影響を与えないように、他側の壁１ｂ及びファイバ３とほぼ同じ熱膨張率の材料とするのが好ましい。【００１１】
また、他側の壁１ｂの下部には、図１（Ｃ）に示すように、ファイバ用の位置決め溝１ｇ（半孔）が設けられている。ファイバ３の位置決めのためである。この溝は、図２（Ａ）、（Ｂ）、（Ｃ）に示すように、Ｖ溝やＵ溝、若しくは台形溝であってもよく、更には、両壁１ｂ、１ｃの両方に位置決め溝１ｇを設けても良い。これにより、ファイバ３が挟装される際に所定の位置に位置決めされるものである。
前記中央島部１ｅの前壁面には、中央壁１ｈが有り、前記突起片１ｆとの間で、ストッパー用の挿入空間部１ｊが形成されている。【００１２】
前記コネクタハウジング１の後方には、光ケーブル４（図４参照）の端部が挿入され固定される。また、このハウジング１の前部は、光コネクタのレセプタクル（図示せず）に嵌合・挿入される。【００１３】
図３に示すように、前記コネクタハウジング１に仮止めされる係止部２ａを有し、本体部２ｂから突出し、その途中に段部２ｃが設けられた突起片２ｄを有する合成樹脂製のストッパー２が形成される。【００１４】
前記本体部２ｂの左右端部には、ファイバ３挿通用の長孔２ｅが貫通させて設けられている。【００１５】
前記コネクタハウジング１と前記ストッパー２とで、光コネクタにおけるプラグが構成される。図４（Ａ）に示すように、予め、コネクタハウジング１の挿入空間部１ｊに突起２ｄを挿入し、係止部２ａで仮止め壁１ｋに仮止めさせて、前記コネクタハウジング１に、前記ストッパー２を仮止めさせておく。【００１６】
そして、光ケーブル４の被覆を剥がし、２本のファイバ３を凹部１ｄの挿通孔１ｇ及び仮止めしているストッパー２の長孔２ｅに、それぞれ挿通させる。次に、図４（Ｂ）に示すように、ストッパー２をコネクタハウジング１の後方に押し込む。【００１７】
ストッパー２の突起２ｄが挿入空間部１ｊにその奥まで挿入され、この突起２ｄの段部２ｃによって、可撓性の突起片１ｆが左右に押圧されて移動される。この作用により、前記片側の壁１ｃと他側の壁１ｂとの間隙が狭められ、前記凹部１ｄに挿通されたファイバ３を押圧して、コネクタハウジング１に固定する。【００１８】
また、ストッパー２の係止部２ａが、ハウジング側の係止部１ｍに係合して係止され、ストッパー２が前方に抜けないように保持される。【００１９】
こうして、コネクタハウジング１に光ケーブル４のファイバ３がしっかりと固定されることになる。この後、コネクタハウジング１の前部から突出している余分なファイバ３を治具で切断してそのファイバ端面を仕上げるものである。【００２０】
本発明の他の実施例として、図６（Ａ）に示すように、中央島部１ｅの前方に形成される挿入空間部１ｊに、ファイバ挟装手段として、バネ部材５を用いるものである。この板状のバネ部材５を、その脚部５ａを挿入空間部１ｊの奥部に引っかけておき、仮止めする。そして、図６（Ｂ）に示すように、挿入空間部１ｊの後方に前記バネ部材５を押し込む。【００２１】
前記バネ部材５の左右側部５ｂが挿入空間部１ｊに入り込んで、その弾発力により可撓性の片側の壁１ｃが他側の壁１ｂに向かって移動する。これにより、前記両壁１ｂ、１ｃで形成される凹部１ｄに挿通されたファイバ３が挟装されて、固定されるものである。このバネ部材５としては、このほか、図示しないが、例えば、バネ部材としてコイルスプリング若しくはトーションバネを用い、そのコイルスプリングを挿入空間部１ｊの左右方向に配置して、若しくはトーションバネの脚部で、可撓性の片側の壁１ｃを押圧するようにしても良い。
【産業上の利用可能性】
【００２２】
本発明に係る光ケーブルのファイバ固定方法は、光ケーブル用のコネクタは勿論のこと、カプラーなどにも適用できるものである。
【図１】
2005121849.tif 000002
【図２】
2005121849.tif 000003
【図３】
2005121849.tif 000004
【図４】
2005121849.tif 000005
【図５】
2005121849.tif 000006
【図６】
2005121849.tif 000007
【国際調査報告】
2005121849.tif 000008
2005121849.tif 000009
2005121849.tif 000010
2005121849.tif 000011